(57)【要約】【課題】段積みされたパレットを最小限の動力で自動的に分離可能にすると共に、シンプルな構造でありなら安全性の高い段ばらし装置を提供する。【解決手段】段積みされた複数のパレット１０１を分離する段ばらし装置１であって、パレット１０１の自重を利用してパレット１０１を所定の搬送方向に搬送する搬送部９と、搬送部９を昇降させる昇降部１０と、搬送部９上の所定の段ばらし位置にある複数のパレット１０１を分離するための分離機構部２と、搬送部９上を搬送方向に移動するパレット１０１に所定の高さ位置で停止板２０を接触させことで、パレット１０１を段ばらし位置で停止させる停止部１８と、を備えた。【選択図】図１
2015009960.tif 000002
【特許請求の範囲】
【請求項１】
段積みされた複数のパレットを分離する段ばらし装置であって、
前記パレットの自重を利用して前記パレットを所定の搬送方向に搬送する搬送部と、
前記搬送部を昇降させる昇降部と、
前記搬送部上の所定の段ばらし位置にある前記複数のパレットを分離するための分離機構部と、
前記搬送部上を前記搬送方向に移動する前記パレットに所定の高さ位置で停止部材を接触させことで、前記パレットを前記段ばらし位置で停止させる停止部と、を備え、
前記分離機構部は、
前記段ばらし位置にある前記複数のパレットのうち最下段のパレットを除く所定の被支持パレットを所定の高さ位置で支持する支持片と、
前記支持片を、前記搬送部上を移動する前記複数のパレットに干渉しない待機位置と前記被支持パレットを支持する支持位置との間で前記待機位置側に付勢した状態で移動可能に支持する支持部材と、
前記昇降部の下降動作による下向きの力を受けて下降することで、前記支持片が前記待機位置から前記支持位置へと移動するように、前記支持部材を動作させる昇降部材と、を有し、
前記停止部により、前記搬送部上を前記搬送方向に移動する前記複数のパレットを前記段ばらし位置で停止させ、
前記昇降部を下降させることにより、前記段ばらし位置にある前記複数のパレットを下降させるとともに前記下向きの力により前記昇降部材を下降させることで、前記支持部材の動作によって前記支持片を前記待機位置から前記支持位置へと移動させ、
さらに前記昇降部を下降させることにより、前記支持片によって支持された状態の前記被支持パレットから前記最下段のパレットを分離させて前記停止部材よりも下方に位置させることで、前記最下段のパレットを前記搬送部により前記搬送方向に送り出し、
前記最下段のパレットを送り出した後、前記昇降部を上昇させることにより、前記支持片により支持された状態の前記被支持パレットを上昇させて前記支持片による前記被支持パレットの支持を解除して前記支持片を前記支持位置から前記待機位置へと戻し、
前記昇降部を下降させることにより、前記被支持パレットを前記停止部材よりも下方に位置させることで、前記被支持パレットを前記搬送部により前記搬送方向に送り出す
ことを特徴とする段ばらし装置。
【発明の詳細な説明】
【技術分野】
【０００１】
本発明は、段積みされた複数のパレットを分離する段ばらし装置に関する。
【背景技術】
【０００２】
従来、例えば自動車を構成する各種部品等の中には、例えば単体で数百キログラムの質量を有するエンジンやエンジン本体を構成する部品等の重量物が存在する。このような重量物としての部品は、パレットと呼ばれる金属製の頑丈な収容体に収められた状態で組立工場に運搬される場合がある。部品の運搬に際しては、効率を考慮してパレットを二段以上に段積みしてトラックに積載し組立工場に搬送することが行われている。組立工場においては、段積みされた各パレットが、フォークリフト等によって所定の一次保管場所に積み下ろされる。この場合、保管場所のスペースを有効に活用するために各パレットは部品ごとに再び数段に段積みされた状態で保管されることになる。
【０００３】
組立工場内の各組立工程においては、組立効率を考慮して、予定される生産に必要な一定数の部品を適宜工程内、又はその近傍に確保しておく必要がある。しかしながら各工程においては、パレットが段積みされた状態では必要な部品をパレットから取り出すことができない。従って、パレットは単体（一段）として各工程で保管される必要があるため、フォークリフト等によって、一次保管場所で段積み保管されているパレットを最上段から一パレットずつ順次積み下ろし、所定の工程に運び入れるか、複数段のパレットを運び入れ、運び入れたフォークリフトによって一パレットずつに段ばらしを行うことになる。
【０００４】
このように、段積みされたパレットは内部に収容された部品を取り出すために必ず一段にしなければならないため、段ばらし作業が必須である。そして、従来は、段ばらしの作業がフォークリフト等による煩わしい作業となっていた。
【０００５】
これを改善する技術として例えば特許文献１のような技術が開示されている。本技術によれば、段積みされたパレットの進行方向に対して左右にコンベア装置を備え、コンベア装置の間に配設された昇降装置がパレットを下方から上方へと持上げる。更に、モータ駆動によって回動動作する板状の係脱体が、一段目と二段目のパレットの間（フォーク挿入空間）に左右側から二段目のパレットの略底面に位置する。その後、昇降装置が下降することで係脱体が二段目のパレットを支持しつつ、一段目のパレットは単体となって下方のコンベア装置上に載置される。このように一段目のパレットと二段目のパレットが切り離されることで段ばらしが達成される。
【先行技術文献】
【特許文献】
【０００６】
【特許文献１】特開２００４−６７３０４号公報
【発明の概要】
【発明が解決しようとする課題】
【０００７】
確かに、特許文献１の技術においては段積みされたパレットを効率よく単体のパレットに分離することができるため、一定の用途においては有効な技術である。
【０００８】
しかしながら、特許文献１の技術においてはパレットを支持する係脱体がモータ駆動による回動によって進退する機構であることから、電気的に数百キロ程度の重量物を安全確実に支持させるためには、複数の安全機構を備えた制御盤が必要となる。このため、段ばらし装置が高価なものとなってしまい、一つの工場内で複数の段ばらし装置を導入するには費用面での負担が大きかった。
【０００９】
また、特許文献１の技術においては、パレットを支持する係脱体が単なる板状の部材であるという構造上、数百キロ程度の重量物を支持するには大掛かりな補強構造が必要となることから、装置構成が複雑なものとなる。更に、装置構成が複雑になることは、段ばらし装置が高価なものとなってしまう要因となる。
【００１０】
また、特許文献１に開示されているような従来の装置は、少なくともパレットを搬送するコンベア装置、パレットを昇降させる昇降装置、パレットを支持する係脱体等の各装置構成の動作のために電気を使用するため、ランニングコストが高くなるといった問題も有していた。
【００１１】
本発明は、以上のような事情に鑑みてなされたものであり、段積みされたパレットを最小限の動力で自動的に分離可能にすると共に、シンプルな構造でありなら安全性の高い段ばらし装置を提供することにある。
【課題を解決するための手段】
【００１２】
以上のような目的を達成するために、本発明は以下のようなものを提供する。
【００１３】
請求項１に係る発明では、段積みされた複数のパレットを分離する段ばらし装置であって、前記パレットの自重を利用して前記パレットを所定の搬送方向に搬送する搬送部と、前記搬送部を昇降させる昇降部と、前記搬送部上の所定の段ばらし位置にある前記複数のパレットを分離するための分離機構部と、前記搬送部上を前記搬送方向に移動する前記パレットに所定の高さ位置で停止部材を接触させことで、前記パレットを前記段ばらし位置で停止させる停止部と、を備え、前記分離機構部は、前記段ばらし位置にある前記複数のパレットのうち最下段のパレットを除く所定の被支持パレットを所定の高さ位置で支持する支持片と、前記支持片を、前記搬送部上を移動する前記複数のパレットに干渉しない待機位置と前記被支持パレットを支持する支持位置との間で前記待機位置側に付勢した状態で移動可能に支持する支持部材と、前記昇降部の下降動作による下向きの力を受けて下降することで、前記支持片が前記待機位置から前記支持位置へと移動するように、前記支持部材を動作させる昇降部材と、を有し、前記停止部により、前記搬送部上を前記搬送方向に移動する前記複数のパレットを前記段ばらし位置で停止させ、前記昇降部を下降させることにより、前記段ばらし位置にある前記複数のパレットを下降させるとともに前記下向きの力により前記昇降部材を下降させることで、前記支持部材の動作によって前記支持片を前記待機位置から前記支持位置へと移動させ、さらに前記昇降部を下降させることにより、前記支持片によって支持された状態の前記被支持パレットから前記最下段のパレットを分離させて前記停止部材よりも下方に位置させることで、前記最下段のパレットを前記搬送部により前記搬送方向に送り出し、前記最下段のパレットを送り出した後、前記昇降部を上昇させることにより、前記支持片により支持された状態の前記被支持パレットを上昇させて前記支持片による前記被支持パレットの支持を解除して前記支持片を前記支持位置から前記待機位置へと戻し、前記昇降部を下降させることにより、前記被支持パレットを前記停止部材よりも下方に位置させることで、前記被支持パレットを前記搬送部により前記搬送方向に送り出すことを特徴とする段ばらし装置。
【発明の効果】
【００１４】
本発明に係る段ばらし装置によれば、一連の段ばらし処理を行うための構成の大部分を自動的に動作する機械式とすることができ、安価でありながら安全性が高くランニングコストも低くすることができる。
【図面の簡単な説明】
【００１５】
【図１】本発明の実施形態に係る段ばらし装置の正面図である。
【図２】本発明の実施形態に係る段ばらし装置の平面図である。
【図３】本発明の実施形態に係る段ばらし装置の右側面図である。
【図４】本発明の実施形態に係る段ばらし装置の右側面図である。
【図５】本発明の実施形態に係る段ばらし装置で用いるパレットの斜視図である。
【図６】本発明の実施形態に係る段ばらし装置の水平機構部の正面図である。
【図７】本発明の実施形態に係る段ばらし装置の戻り機構部の左側面図である。
【図８】本発明の実施形態に係る段ばらし装置の垂直機構部の右側面図である。
【図９】本発明の実施形態に係る段ばらし装置の支持片の動作を示す右側面図である。
【図１０】本発明の実施形態に係る段ばらし装置の水平・垂直機構部の斜視図である。
【図１１Ａ】本発明の実施形態に係る段ばらし装置の各処理時の状態を示す図である。
【図１１Ｂ】本発明の実施形態に係る段ばらし装置の各処理時の状態を示す図である。
【図１２】本発明の実施形態に係る段ばらし装置の処理の流れの一例を示す図である。
【発明を実施するための形態】
【００１６】
本発明は、自動車等の組立工場で用いられる段ばらし装置において、段積みされたパレットに収納された部品を最小限の動力で取り出すことができるようにするために、昇降動作以外の部分には電気的動力を使用せず、段積みされたパレットを機械的に自動で分離することにより、構造の単純化と安全性の向上、及びランニングコストの低下を図ろうとするものである。
【００１７】
以下、本発明に係る段ばらし装置１の一実施形態について図面を参照しながら説明する。なお、本説明中の段ばらし装置１における前後左右の関係は、段ばらし装置１によるパレットの所定の搬送方向の下流側（図１において左側）を前方、同搬送方向の上流側（図１において右側）を後方とし、同搬送方向に向かって右側（図１の紙面と直交する方向の奥側）を右方、同搬送方向に向かって左側（図１の紙面と直交する方向の手前側）を左方とする。すなわち、図２に示す平面図における左側は前方、右側は後方、上側は右、下側は左となる。
【００１８】
また、本発明に係る段ばらし装置１において左右対称の構成については、原則として同一の符号を付し、原則として左側の構成についてのみを説明して、右側の構成については説明を適宜省略する。
【００１９】
本実施形態に係る段ばらし装置１は、段積みされた二つのパレット１０１を搬送の過程で分離するものである。各パレット１０１には、例えば自動車部品等の所定の部品が収容されている。図１、図２に示すように、段ばらし装置１は、パレット１０１を所定の搬送方向（図１及び図２において右側から左側に向かう方向）に搬送する搬送部９、及び搬送部９を昇降させる昇降部１０を含む昇降搬送部５と、搬送部９上の所定の段ばらし位置にある二段のパレット１０１を分離するための分離機構部２と、二段のパレット１０１を段ばらし位置で停止させる停止部１８とを備える。
【００２０】
図１及び図２に示すように、本実施形態の段ばらし装置１は、搬入側搬送部３と搬出側搬送部４との間に設けられる。段ばらし装置１は、搬送部９により、搬入側搬送部３及び搬出側搬送部４とともに、パレット１０１を所定の搬送方向に搬送する搬送経路を構成する。つまり、パレット１０１の搬送方向の上流側から下流側にかけて、搬入側搬送部３、段ばらし装置１の搬送部９、及び搬出側搬送部４が略連続するように配置され、これら三つの搬送部により、パレット１０１を所定の搬送方向に搬送する一連の搬送経路が構成される。
【００２１】
段ばらし装置１は、二段に段積みされたパレット１０１を上段パレット１０１Ｕと下段パレット１０１Ｄとに分離し、下段パレット１０１Ｄ、上段パレット１０１Ｕの順に送り出す機能を有する。搬入側搬送部３は、段ばらし装置１の搬送部９の上流側に設けられ、二段に段積みされたパレット１０１を搬送して搬送部９に搬入するための搬送部である。搬出側搬送部４は、段ばらし装置１の搬送部９の下流側に設けられ、段ばらし装置１の搬送部９上で分離されて一段ずつ送り出されるパレット１０１を受け入れて搬出し、所定の搬送場所へと搬送するための搬送部である。
【００２２】
パレット１０１の搬送経路を構成する搬入側搬送部３、搬送部９、及び搬出側搬送部４の各搬送部は、いずれも搬送方向に直交する水平方向を回転軸方向とする複数の搬送コロにより搬送面を形成するとともに、その搬送面を後側から前側に向けて下るように傾斜させている。このような構成により、各搬送部は、パレット１０１の自重を利用してパレット１０１を所定の搬送方向に搬送する。つまり、各搬送部は、搬送面上に載置されたパレット１０１が自重により搬送面上を搬送方向に移動する程度に搬送面を傾斜させている。
【００２３】
以上のような構成によって、二段に段積みされたパレット１０１は、例えばフォークリフト（図示せず）によって搬入側搬送部３に投入されることで、搬入側搬送部３の搬送面の傾斜によって自動的に段ばらし装置１側に移動して搬送部９上に搬入され、搬送部９上において昇降部１０の昇降動作等によって段ばらしを受けて上下のパレット１０１に分離される。分離された各パレット１０１は、順次搬送部９の搬送面の傾斜によって搬出側搬送部４へと自動的に搬出されることになる。
【００２４】
本実施形態の段ばらし装置１において、昇降部１０は、電動により昇降動作するものであるが、電気的動力によって駆動する箇所は当該部分のみであり、段ばらし装置１は、一連の段ばらしの処理を低消費電力で、かつシンプルな構造で達成するものである。
【００２５】
ここで、本実施形態の段ばらし装置１の段ばらしの対象であるパレット１０１について、図５を用いて説明する。図５に示すように、パレット１０１は、金属製の頑丈な収容体であり、全体として略直方体状の外形を有しながら上部開口の箱状に形成されている。パレット１０１は、上面視で略長方形状の四隅に位置する４本の脚柱１０２と、パレット１０１の底部を構成する底板１０３と、互いに隣接する脚柱１０２間に架設された４枚の側壁１０４とを有する。また、各脚柱１０２の下端部には、開口部（図示せず）を下側とした凹状部を有する嵌合凹部１０５が設けられている。また、各脚柱１０２の上端部には、嵌合凹部１０５と嵌合可能な、先端側に凸状の曲面を有する嵌合凸部１０６が設けられている。
【００２６】
このような構成のパレット１０１によれば、下段パレット１０１Ｄの４本の脚柱１０２の各嵌合凸部１０６上に、上段パレット１０１Ｕの４本の脚柱１０２の各嵌合凹部１０５を嵌合させることで、２つのパレット１０１が４本の脚柱１０２をそれぞれ上下に連ねた状態で段積みされる。このようなパレット１０１に対して、例えばエンジンやエンジン本体を構成する部品等の重量物である部品（図示せず）が収納されていることになる。
【００２７】
次に、本実施形態に係る段ばらし装置１の各部の構造について詳述する。
【００２８】
段ばらし装置１は、概略的には、搬送部９及び昇降部１０を含む昇降搬送部５と、分離機構部２及び停止部１８を含む段ばらし部８とで構成されている。
【００２９】
まず、昇降搬送部５について説明する。昇降搬送部５を構成する昇降部１０は、床面等の所定の設置面上に設けられ、昇降搬送部５を構成する搬送部９を下側から支持した状態で、昇降動作によって搬送部９を昇降（上下方向に移動）させる。昇降部１０は、昇降動作として、上下方向に伸縮する動作を行う。すなわち、昇降部１０は、上下方向に伸びることで搬送部９を上昇させ、上下方向に縮むことで搬送部９を下降させる。昇降部１０は、設置面上に設けられた基台１１と、基台１１上においてパンタアーム方式の連結機構（図示せず）で基台１１に連結された上板１２とを有する。上板１２上に、搬送基台１３を介して搬送部９が設けられる。昇降部１０は、電動又は油圧によるパンタアーム方式の連結機構の動作を制御することで昇降動作し、この搬送部９の昇降動作によって、搬送部９を支持する上板１２の高さが変化する。
【００３０】
搬送部９は、昇降部１０上に設けられ、昇降部１０の昇降動作、つまり昇降部１０の上下方向の伸縮動作によって昇降する。搬送部９は、所定の方向に並べられた多数の搬送コロ１４により、パレット１０１の搬送面を形成する。搬送部９は、その搬送面が後方から前方にかけて下るように水平面に対して数度程度（例えば４°）傾斜するように構成されている。
【００３１】
搬送部９は、図３に示すように、昇降部１０の上板１２上に載置固定された搬送基台１３上に設けられる。搬送基台１３は、上板１２よりも幅広の板状の部材であり、上板１２に対して、幅方向（左右方向）の両側の端面を上板１２の左右両側の端面よりも外側に位置させるように設けられる。
【００３２】
搬送部９において搬送面を形成する多数の搬送コロ１４は、パレット１０１の進行方向に対して略水平方向に沿って直交する方向（図２における上下方向）を回転軸方向として、搬送方向に所定の間隔を隔てて直線状の搬送方向に沿って配設される。各搬送コロ１４は、内部の回動軸部分にベアリング機構（図示せず）を有する。本実施形態の搬送部９においては、搬送方向に沿って直線状に配置された多数の搬送コロ１４により構成される一対の搬送ユニットが、搬送部９の後端から前端にかけて左右両側に独立して２列、略同一平面に沿う搬送面を形成するように互いに平行に配設されている（図２参照）。
【００３３】
搬送部９において、パレット１０１は、４本の脚柱１０２のうち、互いに隣り合う２本の脚柱１０２を左右一側の搬送ユニットの搬送面上に載置させ、他の２本の脚柱１０２を左右他側の搬送ユニットの搬送面上に載置させた状態で搬送される。搬送コロ１４の外径と長さ、及び隣接する搬送コロ１４間のピッチの各寸法は、脚柱１０２の下端部に設けられた嵌合凹部１０５を搬送面に対する接触部分として搬送されるパレット１０１が搬送コロ１４上で可能な限り上下に振動しないようにスムーズに搬送されるような寸法とされている。
【００３４】
また、左右２列に配される各搬送ユニットにおいて、搬送方向に並ぶ搬送コロ１４の左右両側には、搬送コロ１４の上端面よりも上方に突出する搬送ガイド１５が配設されている。搬送ガイド１５は、搬送ユニットの全長にわたって多数の搬送コロ１４により形成される搬送面の左右両側で側壁を形成し、搬送ユニットにおいて多数の搬送コロ１４により形成される搬送面とともにレール状をなす部分である。このような構成により、左右の搬送ユニットの搬送面上に２本ずつ脚柱１０２を載置させた状態で搬送されるパレット１０１の搬送態様において、搬送コロ１４上を移動中のパレット１０１の脚柱１０２が搬送ユニット上から脱落することが防止される。
【００３５】
また、搬送部９には、昇降部１０による下降動作にともなって分離機構部２を作動させるために、分離機構部２を構成する所定の部材（ブラケット５０）に対して下向きの力を作用させるための部分が設けられている。具体的には、かかる部分として、搬送基台１３上であって、パレット１０１の進行方向に対する略中央部に、押し下げ部１６が設けられている。押し下げ部１６は、搬送基台１３の左右両側から進行方向に対して略直角に左右外側に向けて突出する部分である。押し下げ部１６は、略Ｌ字状の板面形状を有する板状部材により構成されており、この板状部材によって左右方向突出側の端部から前側に突出する部分を有するように上面視で略Ｌ字状の部分として設けられている（図２参照）。押し下げ部１６は、搬送部９の下降動作にともない、後述する分離機構部２が備えるブラケット５０を下方へ押し下げる役割を果たすものである。
【００３６】
このように、昇降搬送部５は、搬送部９によってパレット１０１を所定の搬送方向に搬送可能とし、昇降部１０によって搬送部９と共にパレット１０１を上下動自在としながら、押し下げ部１６によって分離機構部２に作用することで分離機構部２を動作させる。
【００３７】
次に、段ばらし部８について説明する。段ばらし部８は、昇降搬送部５の略前半分の位置に配設されている（図１参照）。段ばらし部８は、昇降搬送部５の一部を門状に囲むように設けられる支持フレーム部６５と、支持フレーム部６５に支持された状態で設けられる分離機構部２及び停止部１８とを備える。
【００３８】
支持フレーム部６５は、昇降搬送部５の左右両側に２本ずつ、昇降搬送部５とは独立した形で床上に設置された合計４本の支柱Ｌ１，Ｌ２，Ｒ１，Ｒ２と、これらの支柱間に架設された連結材１７とを有し、これらの支柱及び連結材によって昇降搬送部５の一部を左右側と上側から略囲繞するような門状の枠体を構成する。具体的には、後側に位置する左右の支柱Ｌ１，Ｒ１同士、及び前側に位置する左右の支柱Ｌ２，Ｒ２同士は、それぞれ搬送方向について同じ位置に設けられる。４本の支柱Ｌ１，Ｌ２，Ｒ１，Ｒ２は同じ高さであり、前後・左右に隣り合う支柱の上端部間に支柱同士を連結する連結材１７が梁状に架設される。
【００３９】
停止部１８について説明する。停止部１８は、支持フレーム部６５に支持された状態で設けられる構成である。停止部１８は、支持フレーム部６５を構成する４本の支柱のうち前側に位置する左右の支柱Ｌ２，Ｒ２間に設けられる。
【００４０】
停止部１８は、支柱Ｌ２，Ｒ２間に架設された架設棒１９と、架設棒１９に支持された状態で設けられる停止部材としての停止板２０とを有する。本実施形態では、架設棒１９は、横断面が矩形状となる角柱状の部材であり、前側の支柱Ｌ２，Ｒ２間において、上下方向の中央部より若干だけ上方の位置に架設されている。停止板２０は、略矩形板状の部材であり、長手方向を上下方向とする向きで架設棒１９の後面に固定されることで、架設棒１９に支持される。停止板２０は、長手方向となる上下方向の両側の端部を段ばらし装置１の前方に向けて屈曲させた形状を有する。本実施形態では、停止板２０は、架設棒１９において左右両側の２箇所に配設されている。
【００４１】
停止部１８は、搬送部９上を移動するパレット１０１に停止板２０を接触させることで、パレット１０１を搬送部９上の段ばらし位置で停止させる。停止板２０は、搬送部９が段ばらしのための動作を行う前の高さ位置にある状態において、搬送部９上を移動するパレット１０１の脚柱１０２上端の嵌合凸部１０６に対応する高さ位置に設けられる。本実施形態では、停止板２０は、下段パレット１０１Ｄの上端部の嵌合凸部１０６と上段パレット１０１Ｕの下端部の嵌合凹部１０５とを互いに嵌合させることで段積みされた２段のパレット１０１に対して、２段に段積みされたパレット１０１の嵌合凸部１０６と嵌合凹部１０５との嵌合部１０７に当接することで、パレット１０１を停止させる。
【００４２】
停止板２０は、パレット１０１が意図せず搬送部９から脱落しないようにパレット１０１の搬送方向への移動を規制するためのものである。また、停止板２０は、上下２段のパレット１０１の段ばらしによって互いに分離された上下のパレット１０１のうち、下段パレット１０１Ｄを送り出す際、上段パレット１０１Ｕを段ばらし位置に保持するために、上段パレット１０１Ｕのみに当接して上段パレット１０１Ｕを段ばらし位置に停止させる。
【００４３】
すなわち、停止部１８は、自重により搬送部９上を移動するパレット１０１に停止板２０を接触させることでパレット１０１を停止させるための構成であり、昇降部１０の下降動作によってパレット１０１が下降して停止板２０との接触を離れる位置に達することで、停止部１８によるパレット１０１の移動の規制が解除され、搬送部９の搬送面の傾斜によってパレット１０１が自動的に前方へ移動する。したがって、停止板２０は、搬送部９を昇降させる昇降部１０の昇降範囲との関係において、搬送部９上のパレット１０１が停止板２０よりも下方に位置して停止板２０との接触を離れることができるような位置に設けられる。以上のように、停止部１８は、搬送部９上を搬送方向に移動するパレット１０１に所定の高さ位置で停止板２０を接触させことで、パレット１０１を段ばらし位置で停止させる。
【００４４】
続いて、分離機構部２について説明する。分離機構部２は、搬送部９上の段ばらし位置にある２段のパレット１０１のうち被支持パレットとなる上段パレット１０１Ｕを所定の高さ位置で支持する支持片としての支持爪２１と、支持爪２１を所定の範囲で付勢した状態で回動可能に支持する支持部材としての回動軸２４と、昇降部１０の下降動作にともなって下降することで回動軸２４を介して支持爪２１を作動させる昇降部材としての作動軸３６とを有する。分離機構部２は、支持爪２１及び回動軸２４を含む水平機構部６と、作動軸３６を含む垂直機構部７とから構成されている。
【００４５】
水平機構部６は、左側の支柱Ｌ１，Ｌ２間、及び右側の支柱Ｒ１，Ｒ２間のそれぞれの支柱間に架設された態様で設けられる。水平機構部６は、上記のとおり支持爪２１を含み、支持爪２１は、各支柱の長手方向の中央部近傍において回動可能に設けられ、下段パレット１０１Ｄから上段パレット１０１Ｕを分離して保持するための係止部材である。
【００４６】
支持爪２１は、搬送部９上における段ばらし位置にある２段のパレット１０１のうち最下段のパレット１０１である下段パレット１０１Ｄを除く被支持パレットとしての上段パレット１０１Ｕを所定の高さ位置で支持する。支持爪２１は、水平機構部６において、後述する垂直機構部７の上下の動きに連動して前後方向を軸方向として回動するように設けられる。このように回動可能に設けられる支持爪２１は、その回動動作に関し、水平機構部６が有するバネを含む戻り機構部２２の付勢力によって、基本的に、開いた状態となる所定の位置に保持される。ここで、支持爪２１について、開いた状態となる所定の位置とは、支持爪２１の回動範囲において支持爪２１が戻り機構部２２の付勢力によって保持され位置決めされる待機位置であり、支持爪２１が搬送部９上のパレット１０１に干渉したりパレット１０１を支持したりしない位置である。
【００４７】
水平機構部６の具体的な構成について説明する。図６、図７、図１０に示すように、水平機構部６において、支持爪２１は、回動軸２４に固定支持された状態で回動軸２４の回動により回動可能に設けられる。回動軸２４は、支持フレーム部６５を構成する前後の支柱Ｌ１，Ｌ２間に架設された態様で設けられる。具体的には、前後の各支柱Ｌ１，Ｌ２の左右方向の内側（搬送部９側）の側面にベアリング部２３が固設されており、このベアリング部２３を介して、回動軸２４が前後の支柱Ｌ１，Ｌ２間に回動可能に支持された状態で架設される。回動軸２４は、前後の端部をそれぞれ前後のベアリング部２３から前側または後側に突出させた状態で設けられる。このように前後の支柱Ｌ１，Ｌ２間に架設される回動軸２４の支柱Ｌ１，Ｌ２間の部分の前後の二箇所に支持爪２１が設けられている。
【００４８】
支持爪２１は、側面視（回動軸２４の軸方向視）で２箇所の屈曲部分を有する略Ｚ字状あるいはクランク状の形状を有する部材であり、一方の屈曲部分に回動軸２４を貫通させた態様で回動軸２４に支持される。したがって、支持爪２１は、回動軸２４による支持部分を起点として一方側は、側面視で略Ｌ字状に屈曲した部分となり、他方側は側面視で略直線状の部分となる。
【００４９】
そして、支持爪２１は、待機位置で、側面視で略Ｌ字状の屈曲部分を上側に位置させ、側面視で略直線状の部分を下側に位置させた状態となる。つまり、待機位置にある支持爪２１は、長手方向を略上下方向に沿わせて立った姿勢となる。支持爪２１は、待機位置での立った姿勢から、回動軸２４の回動にともなって内側（搬送部９側）に倒れるように回動することで、段ばらし位置にある上段パレット１０１Ｕを支持する支持位置に達する。支持爪２１は、支持位置にある状態で、待機位置で上側に位置する略Ｌ字状の屈曲部分のうち先端側の部分の平面状の外側面２１ａを略水平方向に沿わせる。この支持爪２１が支持位置にある状態にて略水平方向に沿う外側面２１ａが、支持爪２１において上段パレット１０１Ｕを支持する支持面となる。
【００５０】
以上のように、回動軸２４により回動可能に支持される支持爪２１は、回動位置として、搬送部９上を移動する２段のパレット１０１に干渉しない待機位置、及び上段パレット１０１Ｕを支持する支持位置の各位置にて位置決めされ、この待機位置と支持位置との間の範囲で回動可能に設けられる。すなわち、回動軸２４は、支持爪２１を、待機位置と支持位置との間で回動方向の待機位置側に付勢した状態で移動可能に支持する。そして、左右両側の水平機構部６の支持爪２１の動作状態として、支持爪２１が待機位置にある状態が、支持爪２１が閉じた状態であり、支持爪２１が支持位置にある状態が、支持爪２１が閉じた状態である。
【００５１】
なお、本実施形態では、支持爪２１は、左右の水平機構部６それぞれにおいて前後に２個配置されているが、支持爪２１の数は特に限定されるものではない。各水平機構部６において支持爪２１を設ける数は、例えば、１個でもよく３個以上であってもよい。
【００５２】
また、支持爪２１の外側面２１ａには、位置補正片２５が設けられている。位置補正片２５は、支持爪２１の外側面２１ａに対して略垂直方向に突出するとともに板面を左右方向に向ける板状の部分であり、略Ｌ字状に折り曲げ形成された板状の部材により構成されている。すなわち、略Ｌ字状の板状の部材が一方の辺部（面部）を外側面２１ａ上に固定させることで、板状の部材の他方の辺部（面部）によって外側面２１ａから突出した板状（壁状）の部分が構成される。また、位置補正片２５の上側には外側面２１ａから略垂直方向に突出する部分に対して左右方向の外側（搬送部９側と反対側）に屈曲する傾斜部が設けられている。位置補正片２５は支持爪２１によって支持される上段パレット１０１Ｕの左右方向の位置を適正な位置に保持するためのものである。つまり、位置補正片２５は、支持爪２１が支持位置にある状態において、支持爪２１によって支持される上段パレット１０１Ｕの左右両側に位置し、上段パレット１０１Ｕの左右方向の移動を規制する壁面を形成する。
【００５３】
また、支持フレーム部６５には、上述したような待機位置及び支持位置の各位置にて支持爪２１の回動を規制して位置決めさせるための構成として、ストッパー部２６が設けられている。ストッパー部２６は、前後の支柱Ｌ１，Ｌ２のそれぞれに支持された状態で、前後２箇所に設けられている各支持爪２１に対して設けられる。つまり、ストッパー部２６は、前側に位置する支持爪２１に対しては、前側の支柱Ｌ２から、支柱Ｌ２の後側に位置する支持爪２１側に向けて突設され、後側に位置する支持爪２１に対しては、後側の支柱Ｌ１から、支柱Ｌ１の前側に位置する支持爪２１側に向けて突設される。
【００５４】
ストッパー部２６は、前後の各支柱Ｌ１，Ｌ２から対応する支持爪２１側に向けて突出する突設片２７と、突設片２７に対して下側からねじ込まれるストッパーボルト２８とを有する。突設片２７は、面方向を上下とする略長方形状の板状の部分であり、前後方向に対向する支柱Ｌ１，Ｌ２の各側面から突出するように設けられる。ストッパーボルト２８は、このような突設片２７の先端側の部分において突設片２７を下面側から上面側に貫通するように螺入されている。つまり、ストッパーボルト２８は、頭部側が下側となる向きで、突設片２７を上下方向に貫通するようにねじ込まれる。
【００５５】
このような構成のストッパー部２６が、待機位置にある支持爪２１に対して、回動軸２４による支持部分を含む下側の略Ｌ字状の屈曲部分の内側（左右方向については外側）に位置するように設けられる。これにより、支持爪２１の待機位置及び支持位置の各位置における各方向への回動が規制される。
【００５６】
具体的には、支持爪２１が支持位置にある状態においては、図９（ｂ）に示すように、支持爪２１の回動軸２４による支持部分から下側の直線状の部分が、ストッパーボルト２８の頭部に下側から当接することにより、支持爪２１の待機位置から支持位置側へと向かう回動方向（図９（ｂ）において右回り方向、時計方向）の移動が規制される。従って、ストッパーボルト２８の突設片２７に対するねじ込み量を調整することで、支持位置にある支持爪２１がストッパーボルト２８に当接する位置、つまり支持位置にてパレット１０１を支持する支持爪２１の角度を変えることができる。なお、ストッパーボルト２８の下端部に緩衝材（図示せず）を設けることで、ストッパーボルト２８に対する支持爪２１の接触時の騒音や振動を防止できると共に、支持爪２１等の損傷を防止することができる。
【００５７】
一方、支持爪２１が待機位置にある状態においては、図９（ａ）に示すように、支持爪２１の回動軸２４による支持部分から上側の屈曲部分のうち回動軸２４側の部分が、突設片２７に上側から当接することにより、支持爪２１の支持位置側から待機位置側へと向かう回動方向（図９（ａ）において左回り方向、反時計方向）の移動が規制される。以上のように、ストッパー部２６は、待機位置及び支持位置の各位置において支持爪２１の所定の方向への回動を規制し、支持爪２１の回動範囲を決める役割を果たす。
【００５８】
次に、回動軸２４によって支持される支持爪２１を待機位置側に向けて付勢する戻り機構部２２について説明する。戻り機構部２２は、前側の支柱Ｌ２の前側に設けられている。戻り機構部２２は、回動軸２４に連結されるステー２９と、一端側がステー２９に連結されステー２９を所定の方向に付勢する戻りバネ３１とを有する。
【００５９】
ステー２９は、直線状の部材であり、その一端側が、上述したようにベアリング部２３から前側に突出する回動軸２４の前側の端部に、回動軸２４の径方向に沿って左右方向の外側（左側の水平機構部６においては左側）に伸びるように連結された状態で設けられる。ステー２９は、回動軸２４と一体的に回動するように、回動軸２４に固設される。ステー２９の回動軸２４に対する連結側と反端側の端部には、戻りバネ３１の一端側が係止される可動側突片３０が設けられている。本実施形態では、可動側突片３０は、前側の支柱Ｌ２よりも前側に位置するステー２９から、後側（支柱Ｌ２側）に向けて突出するように設けられている。
【００６０】
戻りバネ３１の他端側は、可動側突片３０よりも下方の位置において前側の支柱Ｌ２の前面に固設された固定側突片３２に係止される。本実施形態では、固定側突片３２は、支柱Ｌ２の前面から、前側に向けて突出するように設けられている。このように、戻りバネ３１は、その上端側をステー２９に設けられた可動側突片３０に係止させるとともに、下端側を支柱Ｌ２に設けられた固定側突片３２に係止させ、略上下方向を伸縮方向とする姿勢で設けられる。
【００６１】
このように戻り機構部２２を構成する戻りバネ３１は、引っ張りバネであり、回動軸２４に連結されるステー２９に対して、可動側突片３０が設けられる側の端部を下方に向けて引っ張る方向に付勢力を作用させる。このような戻りバネ３１の付勢力は、ステー２９を介して、支柱Ｌ１，Ｌ２に固設されたベアリング部２３に支持された回動軸２４に作用し、回動軸２４を所定の回動方向に付勢する。具体的には、戻りバネ３１の付勢力は、回動軸２４を、後面視で左回りの方向、つまり回動軸２４と一体的に回動する支持爪２１が支持位置側から待機位置側へ向かう回動方向に付勢する。
【００６２】
このように戻り機構部２２によって回動軸２４を介して支持爪２１が支持位置側から待機位置側に向かう回動方向に常時付勢される構成において、支持爪２１は、上述したように待機位置においてストッパー部２６によって付勢される方向への移動が規制され位置決めされる。すなわち、支持爪２１は、戻り機構部２２による付勢力及びストッパー部２６による係止作用によって、自動的に待機位置に保持されるように構成されている。このように、水平機構部６は、戻り機構部２２及びストッパー部２６によって、外力を受けない限り支持爪２１が待機位置に保持されるように構成されている。
【００６３】
続いて、水平機構部６において、回動軸２４の戻り機構部２２が設けられる前側と反対側である後側に設けられる回動支点部３３について説明する。回動支点部３３は、後側の支柱Ｌ１の後側に設けられている。回動支点部３３は、回動軸２４に連結される支点ブロック３４と、支点ブロック３４に設けられるローラ支点部３５とを有する。
【００６４】
支点ブロック３４は、略直方体状の部材であり、その長手方向の一側が、上述したようにベアリング部２３から後側に突出する回動軸２４の後側の端部に設けられている。支点ブロック３４は、回動軸２４と一体的に回動するように、回動軸２４に固設されている。支点ブロック３４の後側の面に、ローラ支点部３５が設けられている。
【００６５】
ローラ支点部３５は、支点ブロック３４の後側の面から後側に向けて突出する円柱状の突起部分である。ローラ支点部３５は、例えば外周が軸回りに回転自在のベアリング等により、支点ブロック３４に対して相対的に回転する部分として設けられている。ただし、ローラ支点部３５は、支点ブロック３４と一体的な部分として設けられてもよい。ローラ支点部３５は、支点ブロック３４において、回動軸２４の軸線上の位置からずれた位置に設けられている。つまり、円柱状のローラ支点部３５の軸心位置と回動軸２４の軸心位置とは互いに所定の間隔を隔てた位置関係にある。
【００６６】
ローラ支点部３５は、後述する垂直機構部７の押動板３７の下面と当接し、押動板３７の下方への移動にともなって下方に移動することで、支点ブロック３４を介して回動軸２４を回動させる。この回動支点部３３による回動軸２４の回動方向は、上述した戻り機構部２２によって付勢される回動方向と反対方向である。したがって、押動板３７の下方への移動による回動軸２４の回動は、戻り機構部２２の付勢力に逆らう方向の回動であり、押動板３７の上方への移動に対しては、戻り機構部２２の付勢力が支配的となって回動軸２４が回動することになる。
【００６７】
次に、垂直機構部７の具体的な構成について説明する。図８、図１０に示すように、垂直機構部７は、上記のとおり作動軸３６を含み、この作動軸３６は、上述したように搬送基台１３上に設けられた押し下げ部１６によって昇降部１０の下降動作による下向きの力を受けて下降することで、支持爪２１が待機位置から支持位置へと移動するように、支持爪２１を支持する回動軸２４を動作（回動）させる。
【００６８】
作動軸３６は、後側の支柱Ｌ１の後側かつ左右方向の内側（搬送部９側）に、軸方向が略鉛直方向に沿うように設けられている。作動軸３６の上端部に、押動板３７が連結されており、その下方に上支持部３８、更に下方に保持部３９、更に下方に保持解除部４０が設けられている。作動軸３６は、回動支点部３３との関係において、押動板３７をローラ支点部３５の直上に位置させるような位置に設けられる。本実施形態では、作動軸３６は、ローラ支点部３５の左右方向の外側の位置に設けられている。作動軸３６は、上支持部３８の上支持ガイド４４と保持部３９の中支持ガイド４８とによって後側の支柱Ｌ１に固定支持されている。
【００６９】
作動軸３６の上端部に設けられた押動板３７は、長手方向を左右方向に沿わせるとともに板面を上下方向に向けた矩形板状の部分である。押動板３７は、その下面の略中央部近傍において作動軸３６と連結している。そして、押動板３７は、作動軸３６の上端部からローラ支点部３５を上側から覆うように、つまり押動板３７が下方に移動することでローラ支点部３５に接触するように延設されている。
【００７０】
上支持部３８は、作動軸３６と連結する案内ステー４２と、案内ステー４２と連結する案内軸４３と、作動軸３６及び案内軸４３を挿通させる上支持ガイド４４とで構成されている。具体的には、案内ステー４２は、板面方向を上下とし、左右方向を長手方向とする略矩形板状の部材であり、長手方向の一方の端部近傍に作動軸３６が挿入された状態で作動軸３６と連結される。また、案内ステー４２は、長手方向の他方の端部近傍に案内軸４３を垂設し、案内軸４３の下端部は、上支持ガイド４４を貫通する。案内軸４３は、作動軸３６の上下の可動範囲において、下方に位置する上支持ガイド４４を常に貫通する長さに形成されている。
【００７１】
上支持ガイド４４は、板面方向を上下とし、左右方向を長手方向とする略矩形板状の部材であり、長手方向の一方の端部側の横側壁が支柱Ｌ１の後側面と連結されている。また、上支持ガイド４４の長手方向の他方の端部近傍には、作動軸３６を挿入して上下に滑らかに摺動可能なようにベアリング等の摺動部材（図示せず）が内設されている。また、上支持ガイド４４の中央部近傍においては、上方からの案内軸４３を挿通可能な案内軸孔４５がベアリング等の摺動部材（図示せず）を内設した状態で形成されている。
【００７２】
このように上支持部３８を構成することで、作動軸３６の上下の摺動をスムーズにさせると共に、特に案内軸４３は、作動軸３６のコジリによる摺動不良を防止する役割を果たす。
【００７３】
保持部３９は、第一上固定部４６と保持用バネ４７と中支持ガイド４８とで構成されている。具体的には、第一上固定部４６は、作動軸３６に対する拡径部分であって、作動軸３６において固定の位置で、保持用バネ４７の上端を支持する。保持用バネ４７は、作動軸３６に挿通した状態で第一上固定部４６と中支持ガイド４８との間に配設される。中支持ガイド４８は、板面方向を上下とし、左右方向を長手方向とする略矩形板状の部材であり、中支持ガイド４８の長手方向の一方の端部側の横側壁が支柱Ｌ１の後側面と連結されている。また、中支持ガイド４８の長手方向の他方の端部近傍は作動軸３６を挿入して上下に滑らかに摺動可能なようにベアリング等の摺動部材（図示せず）が内設されている。
【００７４】
このように保持部３９を構成することで、保持用バネ４７が作動軸３６、及び作動軸３６に連結した他の部材の全重量と共に保持することになる。
【００７５】
保持解除部４０は、第二上固定部４９と、昇降部１０の下降動作にともなって下向きに押圧される被押圧部となるブラケット５０と、保持解除用バネ５１と、下固定部５２とで構成されている。具体的には、第二上固定部４９は、作動軸３６に対する拡径部分であって、作動軸３６において固定の位置で、ブラケット５０の上端を支持する。ブラケット５０は作動軸３６を挿通可能な孔部（図示せず）を中央部に形成し、上部の外径が下部の外径よりも大きい側面視略Ｔ字状に形成されている。つまり、ブラケット５０は、その上部に拡径部分である鍔状の当接部５３を有する。当接部５３は、昇降搬送部５が備える押し下げ部１６によって上方からの接触を受けることで、下向きの押圧力を受ける。ブラケット５０には、ブラケット５０が作動軸３６に対して上下に摺動自在とするために、ベアリング等の摺動部材（図示せず）が内設されている。ブラケット５０及び保持解除用バネ５１は、作動軸３６に挿通した状態で第二上固定部４９と下固定部５２との間に配設される。下固定部５２は、作動軸３６に対する拡径部分であって、作動軸３６において固定の位置で、保持解除用バネ５１の下端を支持する。
【００７６】
以上のような水平機構部６及び垂直機構部７を含む分離機構部２は、次のように動作する。まず、分離機構部２に外力が作用していない状態（待機状態）においては、支持爪２１は、戻り機構部２２及びストッパー部２６によって待機位置に保持されている。分離機構部２の待機状態から、昇降搬送部５が下降動作することで、昇降搬送部５が備える押し下げ部１６によって、ブラケット５０が下方へ押し下げられる。ブラケット５０が押し下げられることにより、保持解除用バネ５１が圧縮され、保持解除用バネ５１の付勢力が下固定部５２に伝わり、下固定部５２を介して作動軸３６に下方へ押し下げようとする力が働く。
【００７７】
作動軸３６が下方に押し下げられる力を受けることで、保持部３９の保持用バネ４７が押動板３７の位置を維持しようとする付勢力に抗して作動軸３６が下方へ移動する。この作動軸３６の下方への移動により、作動軸３６一体的に押動板３７も下降し、押動板３７によって回動支点部３３のローラ支点部３５が回動軸２４周りに押し下げられ、支点ブロック３４を介して回動軸２４が回動する。この回動軸２４の回動により、回動軸２４に支持された支持爪２１が待機位置から支持位置側へと回動し、ストッパー部２６によって支持位置にて保持される。上述したように、支持爪２１が待機位置から支持位置へと回動する際には、水平機構部６が備える戻り機構部２２の戻りバネ３１の付勢力に抗する力が必要であることから、作動軸３６の下方への移動は、保持部３９の保持用バネ４７の付勢力に加えて、戻りバネ３１の付勢力も含めた力に抗するような構成とする必要がある。
【００７８】
そして、昇降搬送部５の上昇動作により、押し下げ部１６によるブラケット５０に対する押し下げ作用の解除にともない、戻り機構部２２の付勢力によって支持爪２１は支持位置から待機位置に戻り、ストッパー部２６によって待機位置にて保持される。これにより、分離機構部２は、待機状態へと戻る。
【００７９】
次に、搬入側搬送部３の具体的な構成について説明する
【００８０】
図１、図２に示すように、搬入側搬送部３は段ばらし装置１の搬送部９に、段積みされたパレット１０１を投入するまでのストック箇所としての役割を果たすものである。搬入側搬送部３は上部に第一搬送部５４を備え、第一搬送部５４は左右各３本で合計６本の搬入脚柱５５によって支持されている。具体的には、第一搬送部５４は進行方向を長手方向とする略長方形状の板材で形成された搬入基台５６の上に、上述した段ばらし装置１の搬送部９と同構造の搬送コロ１４と搬送ガイド１５を有している。また、搬入基台５６について進行方向に対して略三分割となる位置であって搬入基台５６の下面の両端部近傍から搬入脚柱５５を垂設している。また、床から第一搬送部５４の搬送コロ１４の搬送面までの高さは、段ばらし装置１の搬送部９が段ばらしを行うためにパレット１０１を受け入れる高さと同じとなるように構成されている。なお、第一搬送部５４の搬送面は、パレット１０１が搬送コロ１４上を自重によって移動できるように、進行方向に対して前方に傾斜させておく必要がある。この場合の傾斜角度は、その搬送面が後方から前方にかけて下るように水平面に対して数度程度（例えば４°）傾斜するように構成されている。
【００８１】
また、段ばらし装置１へのパレット１０１の投入は、原則として縦列とならないように、つまり２段に段積みされたパレット１０１が搬送方向の前後で互いに接触した状態とならないように行う必要があるため、搬入側搬送部３の前方にはストッパー（図示せず）を設けても良い。ストッパーを設けることで、予め搬入側搬送部３に複数の段積みされたパレット１０１をストックさせることができる。
【００８２】
次に、搬出側搬送部４の具体的な構成について説明する
【００８３】
図１、図２に示すように、搬出側搬送部４は段ばらし装置１によって段ばらしされた単体のパレット１０１を搬送部９から搬出する役割を果たすものである。搬出側搬送部４は上部に第二搬送部５７を備え、第二搬送部５７は左右各２本で合計４本の搬出脚柱５８によって支持されている。具体的には、第二搬送部５７は進行方向を長手方向とする略長方形状の板材で形成された搬出基台５９の上に、上述した段ばらし装置１の搬送部９と同構造の搬送コロ１４と搬送ガイド１５を有している。また、搬出基台５９について進行方向に対して前端部近傍、及び後端部近傍において搬出基台５９の下面の両端部近傍から搬出脚柱５８を垂設している。また、床から第二搬送部５７の搬送コロ１４の搬送面までの高さは、段ばらし装置１の搬送部９が昇降部１０によって下降する最下点の高さ、すなわち、段ばらし装置１が搬入側搬送部３からパレット１０１を受け入れる際の高さよりも低い位置、に構成されている。なお、第二搬送部５７の搬送面は、パレット１０１が搬送コロ１４上を自重によって移動できるように、進行方向に対して前方に傾斜させておく必要がある。この場合の傾斜角度は、その搬送面が後方から前方にかけて下るように水平面に対して数度程度（例えば４°）傾斜するように構成されている。
【００８４】
また、搬出側搬送部４の前方にはストッパー（図示せず）を設けても良い。ストッパーを設けることで、搬出側搬送部４に搬出されたパレット１０１をリフター等で移動させるまでの間、パレット１０１をストックさせることができる。
【００８５】
このように搬出側搬送部４を構成することで、段ばらし装置１における搬送部９の昇降動作で一段に分離されたパレット１０１が、搬送部９の下降動作の最下点に移動すると共に、段ばらし装置１の停止板２０に当接していた下段のパレット１０１の嵌合凸部１０６が離れ、傾斜する搬送部９から第二搬送部５７へとパレット１０１が自重によって移動することになる。
【００８６】
以上のような構成を備える本実施形態の段ばらし装置１は、次のように動作する。段ばらし装置１においては、上下２段のパレット１０１が搬入側搬送部３から搬送部９に搬入された後、停止部１８により、搬送部９上を自重によって搬送方向に移動する上下２段のパレット１０１が搬送部９上の段ばらし位置で停止する。ここでは、分離機構部２は待機状態にあり、支持爪２１は待機位置にある（図１１Ａ（ａ）参照）。
【００８７】
次に、昇降部１０を下降させることにより、段ばらし位置にある上下２段のパレットを下降させるとともに押し下げ部１６により昇降部１０の下降動作による下向きの力によりブラケット５０等を介して作動軸３６を下降させることで、回動支点部３３等を介して回動軸２４が回動し、回動軸２４の回動動作によって支持爪２１が戻り機構部２２の付勢力に抗して待機位置から支持位置へと移動する。これにより、４箇所の支持爪２１によって上段パレット１０１Ｕが支持された状態あるいは支持が準備された状態となる（図１１Ａ（ｂ）参照）。その後さらに昇降部１０が下降することにより、支持爪２１によって支持された状態の上段パレット１０１Ｕから下段パレット１０１Ｄが分離して停止板２０よりも下方に位置することで、下段パレット１０１Ｄが自重によって搬送部９により搬送方向に送り出される（図１１Ａ（ｃ）参照）。
【００８８】
下段パレット１０１Ｄが送り出された後、昇降部１０を上昇させることにより、支持爪２１により支持された状態の上段パレット１０１Ｕを上昇させて支持爪２１による上段パレット１０１Ｕの支持が解除される（図１１Ｂ（ｄ）参照）。これにより、支持爪２１が戻り機構部２２の付勢力によって支持位置から待機位置へと戻る。そして、昇降部１０を下降させることにより（図１１Ｂ（ｅ）参照）、上段パレット１０１Ｕを停止板２０よりも下方に位置させることで、上段パレット１０１Ｕが自重によって搬送部９により搬送方向に送り出される（図１１Ｂ（ｆ）参照）。なお、上段パレット１０１Ｕを送り出すための昇降部１０の下降の過程においては、分離機構部２が垂直機構部７によって押し下げ部１６からの押し下げ作用を受けて、水平機構部６において支持爪２１が待機位置から支持位置へと移動する（図１１Ｂ（ｅ）参照）。
【００８９】
[段ばらし処理の流れ]
次に、本実施形態に係る段ばらし装置１の各部の動作や機構の役割等を説明するために、本装置１を自動化した場合の処理の流れの一例として図１１Ａ、図１１Ｂ、図１２を参照しながら説明する。
【００９０】
まず、二段に段積みされたパレット１０１をフォークリフトによって搬入側搬送部３へ投入する（ステップＳ１）。段積みされたパレット１０１は、搬入側搬送部３の第一搬送部５４が有する傾斜を利用して自重によって段ばらし装置１方向へ移動し、更に、段ばらし装置１の搬送部９が有する傾斜を利用して自重によって前方へ移動し、段ばらし位置となる段ばらし部８の停止板２０に上下段パレット１０１Ｕ，１０１Ｄの嵌合部１０７が当接して停止する（図１１Ａ（ａ）、ステップ２）。
【００９１】
次に、段ばらし部８にパレット１０１が存在することを別途のセンサ（図示せず）にて検出し（ステップＳ３）、昇降部１０による下降動作によって搬送部９が下降する（図１１Ａ（ｂ）、ステップＳ４）。
【００９２】
搬送部９の下降と共に搬送部９に形成された押し下げ部１６も下降し、段ばらし部８の垂直機構部７のブラケット５０が有する当接部５３を上方から下方にかけて押し下げる（ステップＳ５）。ブラケット５０は保持解除用バネ５１に付勢力を与え、保持用バネ４７、及び戻りバネ３１の付勢力に抗して作動軸３６を下方へ移動させる。
【００９３】
また、作動軸３６の下方への移動に伴い、作動軸３６の上端部で連結する押動板３７がローラ支点部３５を回動軸２４周りに下方へ回動させる。回動軸２４の回動により支持爪２１も同時に回動して、上段パレット１０１Ｕと下段パレット１０１Ｄとの間に支持爪２１が略水平状態（閉じた状態）となる。このとき、搬送部９の下降は継続させている（ステップＳ６）。
【００９４】
搬送部９の下降により、下段パレット１０１Ｄは搬送部９と共に下降し、上段パレット１０１Ｕは全４個の支持爪２１によってパレット１０１Ｕの底板１０３の底面を支持しながら当該位置に留まることになる。これにより、上段パレット１０１Ｕと下段パレット１０１Ｄは分離される。
【００９５】
また、搬送部９が予め規定した最下点（搬出側搬送部４の第二搬送部５７の搬送面と搬送部９の搬送面とが略同じ高さとなる位置）まで下降したか否かを別途のセンサ（図示せず）によって検出する（ステップＳ７）。所定時間経過しても検出されない場合は、全ての動作を停止して、エラーを報知する（ステップＳ８）。報知の方法は、ブザーやランプによって行われる。
【００９６】
最下点を検出した場合（ステップＳ７）、下段パレット１０１Ｄの嵌合凸部１０６が、段ばらし部８の停止板２０と離れた状態となることから、下段パレット１０１Ｄの前方への移動が自由となる。従って、搬送部９から第二搬送部５７へと夫々の傾斜を利用して自重によって、単体となった下段パレット１０１Ｄが搬出される（図１１Ａ（ｃ）、ステップＳ９）。
【００９７】
次に、段ばらし部８が有する別途のセンサ（図示せず）によって下段パレット１０１Ｄが搬送部９上に存在しないことを検出する（ステップＳ１０）。検出されない場合には、全ての動作を停止して、エラーを報知する（ステップＳ１１）。報知の方法は、ブザーやランプによって行われる。
【００９８】
下段パレット１０１Ｄが搬送部９上に存在しないことが検出された場合（ステップＳ１０）は、昇降部１０によって搬送部９が上昇して、上方で留まっている上段パレット１０１Ｕを下方から持ち上げ（図１１Ｂ（ｄ）、ステップＳ１２）、更に、上昇する。
【００９９】
なお、搬送部９の上昇に伴い、押し下げ部１６によるブラケット５０の下方への押し下げが解除され作動軸３６が上昇するが、上段パレット１０１Ｕを支持したままの支持爪２１は、作動軸３６上端部の押動板３７が作動軸３６と共に上昇しても、上段パレット１０１Ｕが搬送部９によって持ち上げられるまでは、上段パレット１０１Ｕを支持している支持爪２１が待機位置に戻ることはない。これは、押動板３７とローラ支点部３５とが完全な係合状態で構成されていないことによる。
【０１００】
すなわち、作動軸３６の下方への移動に対してはローラ支点部３５を上方から回動軸２４回りに回動させることができるが、作動軸３６の上方への移動に対しては、支持爪２１に対する外部からの負荷（パレット１０１の支持）が優先して、必ずしも作動軸３６の移動に追従しないように構成されているからである。
【０１０１】
しかし、上段パレット１０１Ｕが搬送部９によって持ち上げられると、戻り機構部２２の戻りバネ３１の付勢力によって、支持爪２１は待機位置へと外側に回動することになる。
【０１０２】
次に、搬送部９が予め規定した最上点（搬送部９上に上段パレット１０１Ｕが載置され、かつ、支持爪２１が完全に待機位置へと外側に回動した状態となる所定の位置）にまで上昇したか否かを、別途のセンサ（図示せず）によって検出する（ステップＳ１３）。所定時間経過しても、最上点が検出されない場合には、全ての動作を停止して、エラーを報知する（ステップＳ１４）。報知の方法は、ブザーやランプによって行われる。
【０１０３】
搬送部９が最上点まで上昇したことが検出された場合（ステップＳ１３）、上昇動作を停止する（ステップＳ１５）。
【０１０４】
次に、搬送部９が上段パレット１０１Ｕを載置した状態で下降する（ステップＳ１６）。また、搬送部９が、上述した最下点まで下降したか否かを別途のセンサ（図示せず）によって検出する（ステップＳ１７）。所定時間経過しても検出されない場合は、全ての動作を停止して、エラーを報知する（ステップＳ１８）。報知の方法は、ブザーやランプによって行われる。
【０１０５】
最下点を検出した場合（図１１Ｂ（ｅ）、ステップＳ１７）、上段パレット１０１Ｕの嵌合凸部１０６が、段ばらし部８の停止板２０と離れた状態となることで、上段パレット１０１Ｕの前方への移動が自由となる。従って、搬送部９から第二搬送部５７へと夫々の傾斜を利用して自重によって単体となった上段パレット１０１Ｕが搬出される（図１１Ｂ（ｆ）、ステップＳ１９）。
【０１０６】
二段に段積みされたパレット１０１の一連の段ばらし処理は以上の通りであり、次に投入すべき段積みされたパレット１０１が存在する場合には（ステップＳ２０）、再びステップ１に戻って、上述した処理を繰り返すことになる。
【０１０７】
投入すべき段積みされたパレット１０１が存在しない場合には、全ての処理の終了となる。
【０１０８】
以上のような構成を備える本実施形態の段ばらし装置１によれば、一連の段ばらし処理を行うための構成の大部分を自動的に動作する機械式とすることができ、安価でありながら安全性が高くランニングコストも低くすることができる。すなわち、本実施形態の段ばらし装置１によれば、電気的動力によって駆動する構成は昇降部１０のみであり、それ以外は重力等を利用して自動的に動作する機械式の構成であることから、例えば搬送部９や支持爪２１の動作等に際して電力が不要であり、省コスト・省エネの観点から非常に有利な構成を実現することができる。
【０１０９】
なお、上述した一連の段ばらしの処理例は、段ばらし装置１を自動化した場合についての説明であるが、本実施形態に係る段ばらし装置１の処理方法は、本実施形態に限定されるものではなく、例えば、人手による昇降部１０のスイッチ操作等を伴う等、特許請求の範囲に記載された本発明の要旨の範囲内において種々の変形・変更が可能である。
【０１１０】
また、本実施形態では、段ばらしの対象は２段に段積みされたパレット１０１であるが、本発明に係る段ばらし装置による段ばらしの対象は、３段以上段積みされたパレットであってもよい。段ばらしの対象が３段以上の場合、支持片により支持される被支持パレットは、最下段のパレットの直上に積まれたパレットでなくてもよい。例えば、段ばらしの対象が４段に段積みされたパレットである場合、段ばらしの態様としては、最上段のパレットから下３段のパレットを分離させる態様であったり、上２段のパレットから下２段のパレットを分離させる態様であったり、上３段のパレットから最下段のパレットを分離させる態様であったりしてもよく、また、下側のパレットから１段ずつ分離して搬送部により順次送り出す態様であってもよい。
【０１１１】
以上説明したように、本実施形態に係る段ばらし装置１は、作業者が二段に段積みされたパレット１０１をフォークリフト等によって搬入側搬送部３に投入した後は、何ら人手を加えることなく、上下のパレット１０１Ｕ，１０１Ｄが分離された状態となって搬出側搬送部４から搬出させることができる。
【０１１２】
また、パレット１０１の進行方向への移動に動力を必要とせず、搬送部９の昇降動作のみで一連の段ばらし処理を行うことができるため、装置の構造を簡易なものとでき、安価に製造することができる。従って、工場内に複数の段ばらし装置１を導入することが可能となる。
【０１１３】
また、パレット１０１の進行方向への移動に動力を必要とせず、搬送部９の昇降動作のみで一連の段ばらし処理を行うことができるため、昇降部１０を駆動させるための電力だけを必要とすることから、段ばらしにかかる一連の処理にかかる電力量を大幅に削減することができ、ランニングコストの面で有利となる。
【０１１４】
また、パレット１０１の支持を、電気駆動ではない機械的構造としたことで、電気的な誤動作の心配がなく、安全なものとすることができる。特に数百キロ程度の重量物を扱う場合には、安全面から非常に有効な構造となる。
【０１１５】
また、パレット１０１を支持する支持片２１の構造がシンプルであるため、数百キロ程度の重量物を安定して支持することができる。
【０１１６】
以上、本発明の好ましい実施形態を説明したが、本発明は係る特定の実施形態に限定されるものではなく、例えば、投入されるパレット１０１の段積み数が３段以上であってもよく、特許請求の範囲に記載された本発明の要旨の範囲内において、種々の変形・変更が可能である。
【符号の説明】
【０１１７】
１  段ばらし装置
２  分離機構部
９  搬送部
１０  昇降部
１８  停止部
２０  停止部材（停止板）
２１  支持爪（支持片）
２４  支持部材（回動軸）
３６  昇降部材（作動軸）
１０１  パレット
１０１Ｕ  上段パレット（被支持パレット）
１０１Ｄ  下段パレット
【図１】
2015009960.tif 000003
【図２】
2015009960.tif 000004
【図３】
2015009960.tif 000005
【図４】
2015009960.tif 000006
【図５】
2015009960.tif 000007
【図６】
2015009960.tif 000008
【図７】
2015009960.tif 000009
【図８】
2015009960.tif 000010
【図９】
2015009960.tif 000011
【図１０】
2015009960.tif 000012
【図１１Ａ】
2015009960.tif 000013
【図１１Ｂ】
2015009960.tif 000014
【図１２】
2015009960.tif 000015
【手続補正書】
【提出日】平成25年8月8日(2013.8.8)
【手続補正１】
【補正対象書類名】特許請求の範囲
【補正対象項目名】全文
【補正方法】変更
【補正の内容】
【特許請求の範囲】
【請求項１】
一定の間隙を保持して段積みされた複数のパレットを分離する段ばらし装置であって、
段積みされた前記複数のパレットを載置して搬送するために搬送コロを多数敷設して構成した傾斜状の搬送部と前記搬送部を昇降させる昇降部とで構成する昇降搬送部と、
前記昇降搬送部の前端部近傍に配設し、所定の段ばらし位置に搬送されてきた段積みされた前記複数のパレットから最下段のパレットのみを分離し、その他のパレットは定置に保持した状態にするための分離機構部と、を備えたことを特徴とする段ばらし装置。
【請求項２】
前記搬送部上を移動する前記パレットに所定の高さ位置で停止部材を接触させることで、前記複数のパレットを前記段ばらし位置で停止させる停止部を備えたことを特徴とする請求項１に記載の段ばらし装置。
【請求項３】
前記分離機構部は、前記搬送部より搬送されてきた段積みされた前記複数のパレットの前記最下段のパレットとその上方の被支持パレットとの間の間隙に挿入して前記最下段のパレットより前記上方の被支持パレットを持上げた状態で保持するための支持片を備えたことを特徴とする請求項１又は請求項２に記載の段ばらし装置。
【請求項４】
前記分離機構部は、前記支持片を、前記搬送部上を移動する前記複数のパレットに干渉しない待機位置と前記被支持パレットを支持する支持位置との間で前記待機位置側に付勢した状態で移動可能に支持する支持部材を備えたことを特徴とする請求項３に記載の段ばらし装置。
【請求項５】
前記分離機構部は、前記昇降部の下降動作による下向きの力を受けて下降することで、前記支持片が前記待機位置から前記支持位置へと移動するように、前記支持部材を動作させる昇降部材を備えたことを特徴とする請求項４に記載の段ばらし装置。
【手続補正２】
【補正対象書類名】明細書
【補正対象項目名】００１３
【補正方法】変更
【補正の内容】
【００１３】
請求項１に係る発明では、一定の間隙を保持して段積みされた複数のパレットを分離する段ばらし装置であって、段積みされた前記複数のパレットを載置して搬送するために搬送コロを多数敷設して構成した傾斜状の搬送部と前記搬送部を昇降させる昇降部とで構成する昇降搬送部と、前記昇降搬送部の前端部近傍に配設し、所定の段ばらし位置に搬送されてきた段積みされた前記複数のパレットから最下段のパレットのみを分離し、その他のパレットは定置に保持した状態にするための分離機構部と、を備えたことを特徴とする段ばらし装置。
請求項２に係る発明では、前記搬送部上を移動する前記パレットに所定の高さ位置で停止部材を接触させることで、前記複数のパレットを前記段ばらし位置で停止させる停止部を備えたことを特徴とする請求項１に記載の段ばらし装置。
請求項３に係る発明では、前記分離機構部は、前記搬送部より搬送されてきた段積みされた前記複数のパレットの前記最下段のパレットとその上方の被支持パレットとの間の間隙に挿入して前記最下段のパレットより前記上方の被支持パレットを持上げた状態で保持するための支持片を備えたことを特徴とする請求項１又は請求項２に記載の段ばらし装置。
請求項４に係る発明では、前記分離機構部は、前記支持片を、前記搬送部上を移動する前記複数のパレットに干渉しない待機位置と前記被支持パレットを支持する支持位置との間で前記待機位置側に付勢した状態で移動可能に支持する支持部材を備えたことを特徴とする請求項３に記載の段ばらし装置。
請求項５に係る発明では、前記分離機構部は、前記昇降部の下降動作による下向きの力を受けて下降することで、前記支持片が前記待機位置から前記支持位置へと移動するように、前記支持部材を動作させる昇降部材を備えたことを特徴とする請求項４に記載の段ばらし装置。